(57)【特許請求の範囲】
【請求項１】
商品を収納するショーケース本体の下方には前後に延在された機械室を設け、ショーケース本体の背面には機械室の後部に連通し上下に延在された排熱ダクトを設け、ショーケース本体上面及び排熱ダクトの上端に凝縮気用送風機を設置して機械室と排熱ダクトに亘って通風し、圧縮機や凝縮器等を冷却するショーケースにおいて、
前記凝縮器用送風機を前記ショーケース本体の後方または側方に向かってその少なくとも一部が排熱ダクトの上端よりも低くなる位置までに回動可能に設けた
ことを特徴とするショーケース。
【発明の詳細な説明】
【０００１】
【発明の属する技術分野】
本発明は、例えばコンビニエンスストアなどで使用され、冷蔵・冷凍商品を陳列収納することができるショーケースに関する。
【０００２】
【従来の技術】
最近、コンビニエンスストアなどの店舗においては、狭い店内でも設置でき、且つ大量の商品を収納可能なショーケースが要望されている。そのようなショーケースとしては、従来のようにショーケース本体下部に設けた機械室内に圧縮機、凝縮器及び冷却用ファンを配置するのではなく、凝縮器をショーケース本体の外箱と内箱との間に充填して設けた断熱材内に埋設し、機械室内の部品点数を減らして機械室を小型化し、その分商品収納部の拡大を図ったものが開示されている。また、このショーケースは、ショーケース本体下方から空気を吸い込み、ショーケース本体上方から排出するようになっている。
【０００３】
【発明が解決しようとする課題】
ところで、上記従来のショーケースにおいては、圧縮機は機械室内に設置されているため、圧縮機の高さ以下には、機械室の高さ寸法を縮小することができないので、十分に商品収納部を広く設けることができなかった。また、ショーケース本体上方に空気を排出すると、ショーケース本体天井の塵埃が空気とともにショーケース前面の通路側に舞い落ちるという問題があった。
【０００４】
そこで、断熱壁の底壁を斜め上方に屈折して背面壁に接続させて機械室内の後方の空間を広げてそこにスペースを設け、そのスペースに圧縮機を設置すれば、機械室の高さ寸法をさらに縮小することができる。また、凝縮器を断熱壁に埋設するのではなく、機械室または排熱ダクト内に設置し、凝縮器用送風機をショーケースの上面に排熱ダクトと連通して設置すれば、外気をショーケース本体上方から吸い込んで下方に向かって送風して凝縮器を好適に冷却し、機械室の前方から排出させることができる。また、凝縮器及び凝縮器用送風機のメンテナンスも容易となる。
【０００５】
しかしながら、ショーケース本体上面に凝縮器用送風機を固定すると、その分だけショーケースの高さが高くなるため、ショーケース本体をコンビニエンスストアなどの店舗の入り口のドアから中に入れるときに、ショーケース本体を傾けたり、または一度凝縮器用送風機を取り外して再度取りつけたりしなければならず、作業が煩雑になるという問題があった。
【０００６】
本発明は、上記事情に鑑みてなされたものであり、その目的とするところは、機械室を小型化するため凝縮器用送風機を本体上面及び排熱ダクト上端に設置しても、店舗内への設置作業を容易に行うことのできるショーケースを提供することにある。
【０００７】
【課題を解決するための手段】
上記目的を達成するために、請求項１では、商品を収納するショーケース本体の下方には前後に延在された機械室を設け、ショーケース本体の背面には機械室の後部に連通し上下に延在された排熱ダクトを設け、ショーケース本体上面及び排熱ダクトの上端に凝縮気用送風機を設置して機械室と排熱ダクトに亘って通風し、圧縮機や凝縮器等を冷却するショーケースにおいて、前記凝縮器用送風機を前記ショーケース本体の後方または側方に向かってその少なくとも一部が排熱ダクトの上端よりも低くなる位置までに回動可能に設けている。これにより、凝縮器用送風機を排熱ダクトの周側縁を中心に回動させて、ショーケース本体の高さを凝縮器用送風機の高さ分だけ低くすることができる。また、凝縮器用送風機を反対方向に回動させれば、容易に元の位置に凝縮器用送風機を戻すことができる。
【０００８】
【発明の実施の形態】
図１乃至図４は本発明の一実施形態を示すもので、図１はショーケースの側面断面図、図２はその正面図、図３はその背面図、図４は凝縮器用送風機の要部説明図である。
【０００９】
図１に示すように、このショーケースは、内側に商品収納部２を形成する前面開口のショーケース本体１と、機械室３と、排熱ダクト４とから構成されている。
【００１０】
ショーケース本体１は、側断面が略コ字状の断熱壁５と、断熱壁５の内側に所定の間隔をおいて配置された仕切板６と、断熱壁５の後方に所定の間隔をおいて配置された背面板７と、断熱壁５の下方に所定の間隔をおいて配置され、一部にドレン水を流す開口を設けた底板８と、断熱壁５の前端部から背面板７の上端に亘って被装する天井パネル９と、断熱壁５と仕切板６間の空間及び断熱壁５と背面板７間の空間の左右方向を閉鎖する一対の側板１０と、該側板１０の内側に設けた一対のガラス板１１とを有する。
【００１１】
商品収納部２には、複数段の着脱自在な商品棚２ａと、商品棚２ａ下方には断熱壁５の底壁５ｂと所定の間隔をおいて底棚２ｂを配置している。
【００１２】
断熱壁５は、底壁５ｂを後方約半分の位置から斜め上方に屈曲して背面壁５ｃと接するように形成されている。仕切板６は、断熱壁５の背面壁５ｃの前方にやや後方傾斜して配置され、断熱壁５との間隙に冷気ダクト１２を形成している。
【００１３】
冷気ダクト１２はその下部に冷却ファン１２ａが設置され、後方の約中央から下部には冷却器１２ｂが設置されている。また、その底面側には、断熱壁５の底壁５ｂを貫通するドレン口１３を有している。冷却器１２ｂから発生するドレン水はドレン口１３より後述する機械室３内のドレン水蒸発装置１４に案内される。
【００１４】
機械室３は、断熱壁５の底壁５ｂと底板８との間に所定の間隔をおいて形成され、２つのドレン水蒸発装置１４及び圧縮機１５とを備えている。底壁５ｂは約後半分から斜め上方に屈曲して背面壁５ｃと接触しているのに対して、底板８は垂直に背面板７と接することから、機械室３内の下部後方の排熱ダクト４との連通部は、機械室３内の高さが他と比べて高くなっており、そこにスペース１６が設けられている。このスペース１６内の底板８の上に圧縮機１５が固定されている。
【００１５】
ドレン水蒸発装置１４は、上下に２段に設けられており、それぞれ蒸発皿と、各蒸発皿内のドレン水を吸収する複数の蒸発板と、各蒸発皿に貯留したドレン水を他方の蒸発皿もしくは底板８の下方に設けられた排水タンク１７へ排出する排出機構とを有している。ドレン口１３から流出したドレン水は、上のドレン水蒸発装置１４の蒸発板により吸収され蒸発される。２つのドレン水蒸発装置１４で蒸発されなかったドレン水のみが下段の排出機構からさらに下方向に流出し、排水タンク１７に貯留される。
【００１６】
排熱ダクト４は、背面板７と断熱壁５の背面壁５ｃと各側板１０で囲われた空間であり、その下端が機械室３の後部に連結している。排熱ダクト４内であって、圧縮機１５の上方に凝縮器１８が設置されている。排熱ダクト４の上端には、主として凝縮器１８を冷却する凝縮器用送風機１９が設置されている。この凝縮器用送風機１９は、下方を開口したファンケース２０に収容され、排熱ダクト４と連通している。
【００１７】
凝縮器用送風機１９は、図２に示すように、左右に２つ並んでファンケース２０内に収納され、ショーケース本体１の上面に載置されている。凝縮器用送風機１９を運転すると、ショーケース本体１の外部の空気はファンケース２０の開口された底面２０ａを通って排熱ダクト４内に導入され、排熱ダクト４内に設置された凝縮器１８を冷却する。凝縮器１８を通過して暖められた空気は、ドレン水蒸発装置１４を通過して機械室３の前方から排出される。
【００１８】
ファンケース２０の上面は、フィルタ２１で覆われており、ショーケース本体１の天井パネル９上に溜まった塵埃を凝縮器用送風機１９が排熱ダクト４内に空気と一緒に吸い込まないようになっている。さらに、このファンケース２０は、図３に示すように、その後面２０ｂの下端側を３つの蝶番２２によって排熱ダクト４の背面板７に連結しており、これにより、ファンケース２０が背面板７外側の上端と前後方向に回動自在となっている。したがって、ショーケース本体１の上面に載置された状態から、ファンケース２０の後面２０ｂがショーケース本体１の背面板７と平行になるまで、１８０度前後方向に回動できるようになっている。図４（ａ）に示すように、ファンケース２０をショーケース本体１の後方に回動させると、図４（ｂ）に示すように、ファンケース２０の底面２０ａがショーケース本体１の天井パネル９の上端と一直線上に並び、ショーケース本体１の高さは、床から背面板７の上端までの高さとなる。即ち、ファンケース２０の分だけショーケース本体１の高さが低くなる。
【００１９】
以上のように構成されたショーケースは、コンビニエンスストアなどの店舗に設置され、商品収納部２内に商品を陳列して利用される。店舗内に設置する際、凝縮器用送風機１９を収容したファンケース２０を蝶番２２を軸にショーケース本体１後方に１８０度回動することにより、ショーケース本体１の高さがファンケース２０分だけ低くなる。したがって、ドアの小さい店舗内にショーケースを設置する場合でもドアに接触したりすることがなく、ショーケースを傾けたり、凝縮器用送風機１９を取り外して店舗内に入れ、その後再び設置したりする必要がなくなるので、ショーケースの出し入れ作業が容易となる。また、ショーケースを店舗内の所定位置に設置した後は、前方にファンケース２０を回動させることにより、ショーケース上面に排熱ダクト４と連結させて簡単に凝縮器用送風機１９を設置することができる。また、凝縮器用送風機１９がショーケース本体１外部に設けられていると、凝縮器用送風機１９の大きさや個数を自由に設定することができる上、メンテナンスも容易となる。
【００２０】
なお、本実施形態では、凝縮器用送風機１９を２つ、蝶番２２を３つ備えたものを示したが、これに限定されるものではない。凝縮器用送風機１９及び蝶番２２どちらも１つのみまたは３つ以上設置しても、本実施形態と同様の作用効果を得ることができる。
【００２１】
また、蝶番２２を排気ダクト４の背面板７に設けたものを示したが、側板１０の上端に設置し、ファンケース２０を左右方向に回動可能としてもよい。
【００２２】
【発明の効果】
以上詳述したように、本発明のショーケースによれば、自由に凝縮器用送風機の高さ分ショーケース本体の高さを低くし、その後容易にもとの位置に戻すことができる。したがって、凝縮器用送風機をショーケース本体の上面に載置してショーケース本体の高さが高くなった場合でも、ショーケースを店舗に設置する際の作業性を向上させることができる。
【図面の簡単な説明】
【図１】本発明の一実施形態を示すショーケースの側面断面図
【図２】ショーケースの正面図
【図３】ショーケースの背面図
【図４】凝縮器用送風機の要部説明図
【符号の説明】
１…ショーケース本体、２…商品収納部、３…機械室、４…排熱ダクト、１８…凝縮器、１９…凝縮器用送風機、２０…ファンケース、２２…蝶番。
【図１】
0003735308.tif 000002
【図２】
0003735308.tif 000003
【図３】
0003735308.tif 000004
【図４】
0003735308.tif 000005